(57)【特許請求の範囲】
【請求項１】
直線的に調整可能なプッシュロッド（３）を有し、当該プッシュロッド（３）は連結片（４）を備え、かつ、スイッチキャビネットの、長孔（１２）を有するドア部（１００）の内側面（２）に配置されて、前記連結片（４）が前記内側面（２）の前記長孔（１２）により前記スイッチキャビネットのドア部（１００）を通って突出する、スイッチキャビネットの筐体用のプッシュロッドロック部（１）において、
前記内側面（２）とは反対側の、前記スイッチキャビネットのドア部の外側面（５）に対して取付けられたドアロックプレート（６）は茸状のテーパ付きピンによる接続部（８）を有する作動要素（７）を備え、前記ドアロックプレート（６）が前記作動要素（７）により前記スイッチキャビネットのドア部（１００）に固定され、当該作動要素（７）が前記連結片（４）に、前記スイッチキャビネットのドア部（１００）を介して前記茸状のテーパ付きピンによる接続部（８）を用いて連結され、
前記プッシュロッド（３）は第２の開位置と第２の閉位置との間で、前記作動要素（７）を用いて調整可能であり、当該作動要素（７）は、第１の開位置と第１の閉位置との間で調整可能であり、
前記茸状のテーパ付きピンによる接続部（８）が解除位置に配置され、当該解除位置において、少なくとも前記プッシュロッド（３）が前記第２の閉位置に配置され、かつ、前記作動要素（７）が前記第１の開位置と前記第１の閉位置との間の中間位置に配置されるときに、前記ドアロックプレート（６）が前記スイッチキャビネットのドア部（１００）から取外し可能であり、
前記ドアロックプレート（６）が前記スイッチキャビネットのドア部（１００）の前記解除位置にあるときに、前記作動要素（７）を前記中間位置から前記第２の閉位置に移動させると、前記茸状のテーパ付きピンによる接続部（８）がロック位置になることを特徴とするプッシュロッドロック部（１）。
【請求項２】
前記茸状のテーパ付きピンによる接続部（８）が前記スイッチキャビネットのドア部（１００）を貫通する、少なくとも１つの鍵穴形状の開口部（９）を有し、
前記ドアロックプレート（６）が、支持側面（１０）から突出する少なくとも１つの茸状のテーパ付きピン（１１）を有し、当該茸状のテーパ付きピン（１１）を用いて、前記ドアロックプレート（６）が前記外側面（５）に配置されることを特徴とする請求項１に記載のプッシュロッドロック部（１）。
【請求項３】
前記連結片（４）が、前記プッシュロッド（３）の調整方向に延びる前記長穴（１２）により、前記スイッチキャビネットのドア部（１００）を通って突出し、
前記プッシュロッド（３）が前記第２の閉位置にあるときに、前記連結片（４）が前記長穴（１２）の長手方向の端部（１３）に接触して支持し、当該長手方向の端部（１３）が前記連結片（４）用の止め具を形成するようにしていることを特徴とする請求項１または２に記載のプッシュロッドロック部（１）。
【請求項４】
前記茸状のテーパ付きピンによる接続部（８）がロックボルト（１４）をさらに備え、
前記茸状のテーパ付きピンによる接続部（８）が前記ロック位置になるときに、前記ロックボルト（１４）が前記スイッチキャビネットのドア部（１００）の凹部（１９）と正確に一直線になっていることを特徴とする請求項１〜３のいずれか１項に記載のプッシュロッドロック部（１）。
【請求項５】
前記茸状のテーパ付きピンによる接続部（８）が前記スイッチキャビネットのドア部（１００）を貫通する、少なくとも１つの鍵穴形状の開口部（９）を有し、
前記ロックボルト（１４）が、前記茸状のテーパ付きピンによる接続部（８）の前記ロック位置において、前記茸状のテーパ付きピンによる接続部（８）の前記鍵穴形状の開口部（９）の１つに受け入れられることを特徴とする請求項４に記載のプッシュロッドロック部（１）。
【請求項６】
前記ロックボルト（１４）が、前記ドアロックプレート（６）のボルトガイド部（１５）に受け入れられ、
前記ロックボルト（１４）が前記ボルトガイド部（１５）に対してバネ荷重の付勢を有し、または、前記ロックボルト（１４）が摩擦接触により前記ボルトガイド部（１５）に保持されることを特徴とする請求項４または５に記載のプッシュロッドロック部（１）。
【請求項７】
前記作動要素（７）が、前記ドアロックプレート（６）の基部（１６）に対して旋回可能および／または回転可能なレバー（１７）であり、
前記ドアロックプレート（６）は、その内部に前記レバー（１７）が旋回または回転する、作動ピン（１８）を備えたレセプタクル（２７）を備え、
前記レバー（１７）を前記レセプタクル（２７）から離して旋回または回転させた状態の前記第１の開位置において、前記ロックボルト（１４）が前記レセプタクル（２７）の、作動ピン（１８）とは反対側において当該レセプタクル（２７）内に延び、
前記側面（２０）に対して前記レバー（１７）が旋回または回転する前記第１の開位置から、前記レバー（１７）が前記側面（２０）において停止する前記第１の閉位置まで前記レバー（１７）が移動するときに、前記作動ピン（１８）の自由端が前記レバーに衝突して前記レセプタクル（２７）の方向に移動させられ、それにより前記ロックボルト（１４）が外へ押し出されることを特徴とする請求項６に記載のプッシュロッドロック部（１）。
【請求項８】
前記ドアロックプレート（６）が、基部（１６）の支持側面（１０）を用いて、前記スイッチキャビネットのドア部（１００）の前記外側面（５）に固定され、
前記支持側面（１０）が、円周方向に閉じられたシール材（２１）と、前記茸状のテーパ付きピンによる接続部（８）の少なくとも１つの茸状のテーパ付きピン（１１）と、調整要素（２２）とを有し、
前記調整要素（２２）を用いて、前記作動要素（７）が、前記シール材（２１）により囲まれた領域に配置された前記連結片（４）に連結されることを特徴とする請求項１〜７のいずれか１項に記載のプッシュロッドロック部（１）。
【請求項９】
前記シール材（２１）が、前記スイッチキャビネットのドア部（１００）の表面被膜（２３）と比較して低い摩擦係数を有するように設計され、
前記シール材（２１）が、前記ドアロックプレート（６）と前記スイッチキャビネットのドア部（１００）との間の滑り軸受であるようにしていることを特徴とする請求項８に記載のプッシュロッドロック部（１）。
【請求項１０】
前記茸状のテーパ付きピンによる接続部（８）の茸状のテーパ付きピン（１１）が、前記ドアロックプレートの支持側面（１０）におけるねじ山の付いたレセプタクル（２４）に螺入されるねじボルトであり、
前記茸状のテーパ付きピン（１１）のトラス頭（２５）が工具レセプタクル（２６）を有し、当該工具レセプタクル（２６）は、ねじ締め工具が前記スイッチキャビネットのドア部（１００）の前記内側面（２）経由で利用可能であることを特徴とする請求項１〜９のいずれか１項に記載のプッシュロッドロック部（１）。
【請求項１１】
請求項１〜１０のいずれか１項に記載のプッシュロッドロック部（１）と、スイッチキャビネットのドア部（１００）とを備えた装置であって、
前記プッシュロッドロック部（１）がドアの孔パターンを有し、当該ドアの孔パターンを用いて、前記ドアロックプレート（６）を前記スイッチキャビネットのドア部（１００）に固定できる装置において、
前記ドアの孔パターンが、第１および第２の鍵穴形状の開口部（９）と長穴（１２）とを有し、
前記第１の鍵穴形状の開口部（９）が前記長穴（１２）の下方に配置され、かつ、当該長穴と整列しており、
前記第２の鍵穴形状の開口部（９）が前記長穴（１２）の上方に配置され、かつ、前記長穴に対してずらされ、
前記ドアの孔パターンがケーブル通路も有し、前記ドアの孔パターンが前記スイッチキャビネットのドア部（１００）に固定されると、当該ドアの孔パターンが前記ドアロックプレート（６）により隠されることを特徴とする装置。
【請求項１２】
ドアロックプレート（６）をスイッチキャビネットのドア部（１００）に取付ける方法であって、
前記ドアロックプレート（６）が、前記スイッチキャビネットのドア部（１００）に取付けられたときに、当該スイッチキャビネットのドア部（１００）に対して前記ドアロックプレート（６）を垂直方向に移すことにより、茸状のテーパ付きピンによる接続部（８）を用いて固定される方法において：
−  前記ドアロックプレート（６）の作動要素（７）を、当該作動要素（７）の第１の開位置に位置調整するステップ、または前記作動要素（７）の前記第１の開位置と第１の閉位置との間の第１の中間位置に位置調整するステップと；
−  前記スイッチキャビネットのドア部（１００）の内側面で第２の開位置と第２の閉位置との間で垂直方向に調整可能なプッシュロッド（３）を、前記第２の閉位置に位置調整するステップ、または、前記プッシュロッド（３）の前記第２の開位置と前記第２の閉位置との間の第２の中間位置に位置調整するステップと；
−  前記スイッチキャビネットのドア部（１００）における、前記ドアロックプレート（６）の最終取付け位置に垂直にずらして前記ドアロックプレート（６）を配置し、前記ドアロックプレート（６）の前記作動要素（７）の調整要素（２２）を前記プッシュロッドの連結片と係合し、さらに、前記ドアロックプレート（６）の少なくとも１本の茸状のテーパ付きピン（１１）を前記スイッチキャビネットのドア部（１００）の鍵穴形状の開口部（９）に挿入するステップと；
−  前記プッシュロッド（３）が前記第２の閉位置に配置されていない場合、前記プッシュロッド（３）が前記第２の閉位置に配置されるまで、前記作動要素（７）を前記第１の開位置から、または前記第１の中間位置から、前記第１の閉位置の方向へ移動させるステップと；
−  前記プッシュロッド（３）が前記第２の閉位置に配置されたときに、前記作動要素（７）を前記第１の閉位置に移動し、それにより、前記茸状のテーパ付きピンによる接続部（８）がロック位置になる最終位置に前記ドアロックプレート（６）が配置されるまで、前記スイッチキャビネットのドア部（１００）に対して前記ドアロックプレート（６）を移動させるステップと、
を備えることを特徴とする方法。
【請求項１３】
前記最終位置において、前記スイッチキャビネットのドア部（１００）の前記鍵穴形状の開口部（９）、または前記スイッチキャビネットのドア部（１００）のさらなる凹部（１９）にロックボルト（１４）が挿入され、前記ドアロックプレート（６）が、前記スイッチキャビネットのドア部（１００）に対して垂直方向に固定されるようにしていることを特徴とする請求項１２に記載の方法。
【請求項１４】
前記作動要素（７）を前記第１の閉位置に移動させる過程において、
前記ドアロックプレート（６）の基部（１６）におけるレセプタクル（２７）内に前記作動要素（７）のレバー（１７）を旋回または回転させ、
それを用いて前記ロックボルト（１４）が前記レセプタクル（２７）内に突出する作動ピン（１８）が、前記レセプタクル（２７）から外へ、前記スイッチキャビネットのドア部（１００）の方向に移動させられることを特徴とする請求項１３に記載の方法。
【請求項１５】
前記ドアロックプレート（６）のロックを解除するため、最初に前記作動要素（７）が前記第１の開位置にされ、この目的を達成するために、前記ドアロックプレート（６）の基部（１６）に対して旋回可能および／または回転可能であるレバー（１７）を、当該レバー（１７）が前記第１の閉位置で受け入れられるレセプタクル（２７）から外へ旋回または回転させ、
次に、前記ロックボルト（１４）が前記スイッチキャビネットのドア部（１００）の内側面（２）から前記ドアロックプレート（６）のボルトガイド部（１５）内に押し込まれ、
前記ロックボルト（１４）が、前記鍵穴形状の開口部（９）またはさらなる凹部（１９）から外されて、前記レセプタクル（２７）内に突出することを特徴とする請求項１３または１４に記載の方法。
【請求項１６】
前記最終位置において、前記茸状のテーパ付きピン（１１）が前記ドアロックプレート（６）にさらに螺入され、その結果、前記スイッチキャビネットのドア部（１００）と前記ドアロックプレート（６）との間のシール材（２１）が圧縮されて、前記ドアロックプレート（６）が前記スイッチキャビネットのドア部（１００）にシール固定されることを特徴とする請求項１２〜１５のいずれか１項に記載の方法。
【発明の詳細な説明】
【技術分野】
【０００１】
本発明は、スイッチキャビネットの筐体用のプッシュロッドロック部および対応する方法に関する。このようなプッシュロッドロック部は、例えば、国際公開第９９／３６６５４号公報や国際公開第９９／１６９９４号公報から周知である。同様のプッシュロッドロック部は、国際公開第２０１６／０９５８９７号公報やドイツ特許第１００  ４９  ６３７号明細書にも記載されている。
【先行技術文献】
【特許文献】
【０００２】
【特許文献１】国際公開第９９／３６６５４号公報
【特許文献２】国際公開第９９／１６９９４号公報
【特許文献３】国際公開第２０１６／０９５８９７号公報
【特許文献４】ドイツ特許第１００  ４９  ６３７号明細書
【発明の概要】
【発明が解決しようとする課題】
【０００３】
このプッシュロッドロック部を取付けるために、スイッチキャビネットのドア部の前面にドアロックプレートを取付け、かつ、このドアロックプレートの作動要素をプッシュロッド部に機械的に連結し、当該プッシュロッド部がスイッチキャビネットのドア部の内側面に配置されて、垂直方向に直線的に調整可能である必要がある。このスイッチキャビネットのドア部にドアロックプレートを組み立てるため、本技術分野で周知のプッシュロッドロック部は、ドアロックプレートとドア部またはプッシュロッドロック部との間にいくつかのねじ接続を必要とし、このドアロックプレートの組み立てが必要以上に煩雑になっている。国際公開第２０１６／０９５８９７号公報から周知であるスナップ式の取っ手部は、スイッチキャビネットのドア部に非常に便利に取り付けることができる一方で、この目的を達成するために比較的複雑なスナップ式の構造を有している。
【０００４】
したがって本発明の目的は、周知の技術水準に基づき、スイッチキャビネットのドア部に都合よく取付け可能で、一方では複雑な構造を必要としないようにし、したがって他方ではメンテナンスの手間がかからず、かつ製造の費用対効果が高くなるようにするように、上記のようなプッシュロッドロック部をさらに開発することである。
【課題を解決するための手段】
【０００５】
この目的は、請求項１の特徴を有するプッシュロッドロック部により達成される。請求項１１は対応する構成を説明し、請求項１２は対応する方法を説明している。従属請求項はそれぞれ、本発明の有利な実施形態に関する。
【０００６】
したがって、プッシュロッドロック部が、スイッチキャビネットのドア部の内側面に配置されて直線的に調整可能なプッシュロッドを有し、当該プッシュロッドが、連結片を用いてドア部の内側面からスイッチキャビネットのドア部を通って突出する、ということが提供される。このドア部の内側面とは反対側の、スイッチキャビネットのドア部の外側面を用いて取付けられたドアロックプレートが、茸状のテーパ付きピンによる接続部（mushroom pin connection）により、連結片に連結された作動要素を用いてスイッチキャビネットのドア部に固定される。このプッシュロッドは第２の開位置と第２の閉位置との間で、作動要素を用いて調整可能であり、当該作動要素は、第１の開位置と第１の閉位置との間で調整可能である。茸状のテーパ付きピンによる接続部が解除位置に配置され、当該解除位置において、少なくともプッシュロッドが第２の閉位置に配置され、かつ、作動要素が第１の開位置と第１の閉位置との間の中間位置に配置されるときに、ドアロックプレートがスイッチキャビネットのドア部から取外しできる。ドアロックプレートがスイッチキャビネットのドア部の解除位置にあるときに、作動要素を中間位置から第２の閉位置に移動させると、この茸状のテーパ付きピンによる接続部がロック位置になる。
【０００７】
このことにより、作動要素を１回作動させる間に、プッシュロッドロック部をスイッチキャビネットのドア部の外側面に固定できる、ということが提供される。この目的のために、プッシュロッドが、例えば第２の閉位置にある一方で、ドアロックプレートが、例えば作動要素の全開位置（第１の開位置）に配置されてもよく、または第１の開位置と第１の閉位置との間の中間位置に配置されてもよい。換言すれば、作動要素とプッシュロッドとの間の非同期の位置で、ドアロックプレートがスイッチキャビネットのドア部の外側面に配置されてもよく、これにより、プッシュロッドの連結片が作動要素と係合する。この目的のために当該作動要素が、例えばスイッチキャビネットのドア部の外側面に対向する側面に、連結片用に適合した形状のレセプタクルを有することができる。
【０００８】
ドアロックプレートおよびプッシュロッドがお互いに関して非同期の位置に並べられ、連結片が作動要素と係合している場合、ドアロックプレートをスイッチキャビネットのドア部の外側面に固定するために用いる茸状のテーパ付きピンによる接続部が解除位置に配置されてもよい。特にスイッチキャビネットのドア部の外側面における、例えば鍵穴の拡大した部分と整列している茸状のテーパ付きピンが、ドアロックプレートの、スイッチキャビネットのドア部の外側面に対向する側面に配置されてもよい。
【０００９】
作動要素を第１の開位置から、または中間位置から、第２の閉位置に移動させる過程で、茸状のテーパ付きピンによる接続部がロック位置に移動されるように、ドアロックプレートをスイッチキャビネットのドア部に対して垂直方向に移動させてもよい。このことは、例を挙げるとプッシュロッドが止め具に支えられているために、例えばプッシュロッドが第１の閉位置でさらに移動することを防ぐこと、すなわち当該閉位置を超えて移動することを防ぐことにより達成でき、作動要素の作動が、スイッチキャビネットのドア部に対するドアロックプレートの垂直移動の動作に変換されるようにして、その結果、茸状のテーパ付きピンによる接続部を解除位置からロック位置に移動し、当該ロック位置において、茸状のテーパ付きピンの逃げ溝がスイッチキャビネットのドア部の裏側に係合する。
【００１０】
茸状のテーパ付きピンによる接続部が、スイッチキャビネットのドア部を貫通する、特にこのドア部のドアリーフの板を貫通する少なくとも１つの鍵穴形状の開口部を有してもよく、またドアロックプレートが、支持側面から突出する少なくとも１つの茸状のテーパ付きピンを有してもよく、当該茸状のテーパ付きピンを用いて、このドアロックプレートが外側面に配置される。オプションの左の止め具用または右の止め具用のプッシュロッドロック部を使えるようにするため、特にスイッチキャビネットのドア部が、ドアロックプレートの支持側面におけるトラス頭のピンの数と比較して、それに一致する数の鍵穴形状の開口部を有する、ということが提供されてもよく、例えばこの支持側面が、連結片用に適合した形状のレセプタクルに対極に配置された、２つのトラス頭のピンを有してもよい一方で、スイッチキャビネットのドア部が、連結片の周囲に長方形の角部で配置された、対極にある２つの鍵穴形状の開口部または４つの鍵穴形状の開口部を有してもよい。しかしながら、４つ以上の鍵穴形状の開口部が設けられてもよい。これらの鍵穴形状の開口部の形状は、特定の形状に限定されない。これらの鍵穴形状の開口部はそれぞれ、茸状のテーパ付きピンがそのトラス頭から当該鍵穴に入ることができる寸法を有する拡大した領域により特徴付けられる一方で、当該鍵穴が、この拡大した部分に開口しており長穴形状であってもよい狭い部分をさらに有し、当該狭い部分がその長手方向に垂直な幅を有し、当該幅は、茸状のテーパ付きピンのトラス頭の内法の幅よりも小さい。例えば、この細長い部分の幅が茸状のテーパ付きピンの直径に対応してもよく、当該ピンの端に、このピンに対して拡大されたトラス頭が位置している。左右の止め具の両方を可能にするため、特に鍵穴形状の開口部が、茸状のテーパ付きピンの受け入れ用の中央の拡大した部分と、それぞれが当該拡大した領域に開口している、お互いに垂直方向に対向するスロット状の部分と、を有してもよい。
【００１１】
連結片が、プッシュロッドの調整方向に延びる長穴により、スイッチキャビネットのドア部を通って突出してもよく、プッシュロッドが第２の閉位置にあるときに、この連結片が当該長穴の長手方向の端部に接触して支持し、当該長手方向の端部が連結片用の止め具を形成するようにしている。この実施形態では、プッシュロッドの第２の閉位置においてドアロックプレートを移動させるときに、スイッチキャビネットの外側面のドアロックプレートをロックしている間は、ドアロック機構に負荷がかからない、という特別な利点を有している。
【００１２】
しかしながら本発明は、連結片と調整要素との間の前述の連結の運動学的な反転も対象とするものとしている。この目的のために、例えば調節要素がボルトなどの形式の連結片を有してもよく、当該連結片は、スイッチキャビネットのドア部を通って、プッシュロッドの内側面の適合した形状のレセプタクル内に延びている。
【００１３】
茸状のテーパ付きピンによる接続部がロックボルトをさらに備えてもよく、この茸状のテーパ付きピンによる接続部がロック位置になるときに、当該ロックボルトがスイッチキャビネットのドア部の凹部と正確に一直線になっている。特に、茸状のテーパ付きピンによる接続部のロック位置におけるロックボルトが、茸状のテーパ付きピンにおける鍵穴形状の開口部に受け入れられる、ということが提供されてもよい。
【００１４】
ロックボルトが、ドアロックプレートのボルトガイド部に受け入れられてもよく、このロックボルトが当該ボルトガイド部に対してバネ荷重の付勢を有し、または、このロックボルトが摩擦接触により当該ボルトガイド部に保持される。ドアロックプレートが、スイッチキャビネットのドア部に対向する、そのドアロックプレートの最終位置に達しているとすぐに、ロックボルトがスイッチキャビネットのドア部の凹部に自動的に係合するように、すなわち、茸状のテーパ付きピンによる接続部がロック位置になるように、プレロードを設定してもよい。
【００１５】
特に、作動部材がドアロックプレートの基部に対して枢動可能または回転可能なレバーを有する場合、その解放位置において、ロックボルトが当該ドアロックプレートの基部から支持側面の反対側に作動ピンで突出する、ということが提供されてもよく、前記側面に対して当該レバーが旋回または回転する第１の開位置から、当該レバーが前記側面において停止する第１の閉位置まで当該レバーが移動するときに、当該作動ピンの自由端が前記側面の方向に移動する。この基部の上または中への枢動または回転中に、このレバーがロックボルトの作動ピンと衝突する、ということが提供されてもよく、このロックボルトが当該レバーの動作により打ち込まれるようにし、その結果このロックボルトが凹部内、特に鍵穴形状の開口部内に打ち込まれるようにしている。
【００１６】
ドアロックプレートが、当該ドアロックプレートの基部の支持側面を用いて、スイッチキャビネットのドア部の外側面に固定されてもよく、当該支持側面が、円周方向に閉じられたシール材と、茸状のテーパ付きピンによる接続部の少なくとも１つの茸状のテーパ付きピンと、調整要素とを有し、当該調整要素を用いて、作動要素が、当該シール材により囲まれた領域に配置された連結片に連結されている。この調整要素が適合した形状のレセプタクルを有してもよく、当該適合した形状のレセプタクルを用いて、この調整要素がプッシュロッドの連結片に連結されてもよい。
【００１７】
特にシール材が、例えば浸漬被覆および/または粉末被覆など、スイッチキャビネットのドア部の表面被膜と比較して可能な限り低い摩擦係数を有するように設計され、当該シール材が、ドアロックプレートとスイッチキャビネットのドア部との間の滑り軸受であるようにしてもよい。この実施形態により、スイッチキャビネットのドア部の外側面に亘ってドアロックプレートを導くシール材が、茸状のテーパ付きピンによる接続部が解除位置からロック位置に再配置される間に損傷しない、ということを容易にしている。
【００１８】
茸状のテーパ付きピンによる接続部の茸状のテーパ付きピンは、ドアロックプレートの支持側面におけるねじ山の付いたレセプタクルに螺入されるねじボルトであってもよく、この茸状のテーパ付きピンのトラス頭が工具レセプタクルを有し、当該工具レセプタクルは、ねじ締め工具がスイッチキャビネットのドア部の内側面経由で利用できるように配置される。この実施形態により、ドアロックプレートがスイッチキャビネットのドア部と反対側の最終位置になったときにのみ、すなわち、茸状のテーパ付きピンによる接続部がロック位置にあるときにのみ、ドアロックプレートの組み立ておよび分解をさらに容易にすることができ、ねじ山の付いたレセプタクルにねじボルトをさらに螺入することにより、ドアロックプレートと制御キャビネットのドア部との間の接触力を高めることで、ＩＰ保護等級（IP (Ingress Protection） protection class）の密閉を提供できる。したがって、スイッチキャビネットのドア部のドアロックプレートをロックするために、ドアロックプレートが垂直方向に移される場合、まだドアロックプレートをスイッチキャビネットのドア部に亘って導いていないことにより、ドアロックプレートとスイッチキャビネットのドアとの間の密閉に必要な完全な接触力を備えて、ドアロックプレートとスイッチキャビネットのドア部との間のシールも維持できる。他の態様によれば、上述のタイプのプッシュロッドロック部とスイッチキャビネットのドア部とを備えている装置が記載され、当該プッシュロッドロック部がドアの孔パターンを有し、当該ドアの孔パターンを用いて、ドアロックプレートをスイッチキャビネットのドア部に固定でき、このドアの孔パターンが、第１および第２の鍵穴形状の開口部と長穴とを有し、当該第１の鍵穴形状の開口部が当該長穴の上方に配置され、かつ、当該長穴と整列しており、当該第２の鍵穴形状の開口部が当該長穴の上方に配置され、かつ、当該長穴からずらされ、当該ドアの孔パターンが、当該第２の鍵穴形状の開口部の下方かつ当該第１の鍵穴形状の開口部の横方向に配置されたケーブル通路をさらに備えることが好ましく、このドアの孔パターンがスイッチキャビネットのドア部に固定されると、当該ドアの孔パターンがドアロックプレートにより隠される。
【００１９】
さらに他の態様によれば、本発明は、ドアロックプレートをスイッチキャビネットのドア部に取付ける方法に関する。このドアロックプレートが、スイッチキャビネットのドア部に取付けられたときに、当該スイッチキャビネットのドア部に対して当該ドアロックプレートを垂直方向に移すことにより、茸状のテーパ付きピンによる接続部を用いて固定される。この方法は、以下のステップにより特徴付けられる：
−  ドアロックプレートの作動要素を、当該作動要素の第１の開位置に位置調整するステップ、または当該作動要素の第１の開位置と閉位置との間の第１の中間位置に位置調整するステップと；
−  スイッチキャビネットのドア部の内側面で第２の開位置と第２の閉位置との間で垂直方向に調整可能なプッシュロッドを、当該第２の閉位置に位置調整するステップ、または、このプッシュロッドの当該第２の開位置と当該第２の閉位置との間の第２の中間位置に位置調整するステップと；
−  スイッチキャビネットのドア部における、そのドアロックプレートの最終取付け位置に垂直にずらしてドアロックプレートを配置し、当該ドアロックプレートの作動要素の調整要素をこのプッシュロッドの連結片と係合し、さらに、このドアロックプレートの少なくとも１本の茸状のテーパ付きピンを当該スイッチキャビネットのドア部の鍵穴形状の開口部に挿入するステップと；
−  プッシュロッドが第２の閉位置に配置されていない場合、このプッシュロッドが当該第２の閉位置に配置されるまで、上述の作動装置を第１の開位置から、または第１の中間位置から、第１の閉位置の方向へ比例的に移動させるステップと；
−  プッシュロッドが第２の閉位置に配置されたときに、作動要素を第１の閉位置に移動し、それにより、茸状のテーパ付きピンによる接続部がロック位置になる最終位置にドアロックプレートが配置されるまで、スイッチキャビネットのドア部に対してドアロックプレートを移動させるステップ。
【００２０】
この最終位置において、スイッチキャビネットのドア部の鍵穴形状の開口部、またはスイッチキャビネットのドア部のさらなる凹部にロックボルトが挿入されてもよく、ドアロックプレートが、このスイッチキャビネットのドア部に対して垂直方向に固定されるようにしている。
【００２１】
作動要素を第１の閉位置に移動させる過程において、ドアロックプレートの基部におけるレセプタクル内に当該作動要素のレバーを枢動または回転させ、それを用いてロックボルトが当該レセプタクル内に突出する作動ピンが、当該レセプタクルから外へ、スイッチキャビネットのドア部の方向に移動されてもよい。特に、スイッチキャビネットのドア部の外側面に垂直な平面において、このレバーを旋回させてもよい。その結果、この作動ピンとそれを備えるロックボルトが、スイッチキャビネットのドア部の外側面に対して垂直に移動することもできる。
【００２２】
ドアロックプレートのロックを解除するため、最初に作動要素が第１の開位置にされてもよく、かつ、このドアロックプレートの基部に対して旋回可能および／または回転可能であるレバーを、当該レバーが第１の閉位置で受け入れられるレセプタクルから外へ旋回または回転させてもよく、次に、このロックボルトがスイッチキャビネットのドア部の内側面からドアロックプレートのボルトガイド部内に押し込まれ、このロックボルトが、鍵穴形状の開口部またはさらなる凹部から外されて、作動ピンを使用して当該レセプタクル内に突出する。このドアロックプレートがアクセスコントロール、例えばシリンダー錠を有する場合、当該ドアロックプレートを分解するためには、このレバーを最初の閉位置から外へ旋回させる必要または回転させる必要があり、当該旋回または回転させるために当該レバーを解除する必要があり、しかしながら当該解除は通常、ロックすることにより許可がされた人だけに制限されるため、その結果として、許可されていない人により当該レバーが分解されることも回避できる。例えば国際公開第９９／３６６５４号公報の開示を参照のこと。
【００２３】
最終位置において、茸状のテーパ付きピンがドアロックプレートにさらに螺入され、その結果、スイッチキャビネットのドア部とドアロックプレートとの間のシール材が圧縮されて、ドアロックプレートがスイッチキャビネットのドア部にシール固定される、ということも提供されてもよい。
【００２４】
本願発明の意味におけるドアロックプレートは特定の実施形態に限定されず、特にレバーのロック方式（国際公開第９９／３６６５４号公報を参照）および歯付ラックのロック方式（国際公開第９９／１６９９４号公報を参照）の両方が本発明に含まれる。
【図面の簡単な説明】
【００２５】
本発明のさらなる詳細は以下の図面の記載で説明され、それぞれの図面は以下のことを示す：
【図１】本発明の実施形態によるドアロックプレートの支持側面の上面図である。
【図２】本発明の他の実施形態によるドアロックプレートの支持側面の上面図である。
【図３】本発明の実施形態による、旋回レバーを開いた状態のドアロックプレートの斜視図である。
【図４】茸状のテーパ付きピンによる接続部がロック位置と解除位置との間にある、ドアロックプレートの領域におけるスイッチキャビネットのドア部の内側面の詳細図である。
【図５】茸状のテーパ付きピンによる接続部がロック位置にある、スイッチキャビネットのドア部の内側面のさらなる詳細図である。
【図６】茸状のテーパ付きピンによる接続部の領域における、図５に従った拡大図である。
【図７】ドアロックプレートが分解された状態のスイッチキャビネットのドア部の外側面の上面図である。
【図８】スイッチキャビネットのドア部の内側面のプッシュロッドロック部の詳細図である。
【図９】本発明のさらに他の実施形態によるスイッチキャビネットのドア部の内側面のプッシュロッドロック部の詳細図である。
【図１０】本発明の実施形態によるドアの孔パターンである。
【発明を実施するための形態】
【００２６】
図１は、ドアロックプレート６の支持側面１０を示しているドアロックプレート６の例示的な実施形態を表現しており、当該支持側面１０を用いて、スイッチキャビネットのドア部（図示せず）の外側面にドアロックプレート６を取付けることができる。２つの茸状のテーパ付きピン１１が支持側面１０に垂直に延びており、当該茸状のテーパ付きピン１１は、これらの自由端で、本実施形態の場合はマイナスドライバ用の溝である工具ホルダ２６を備えたトラス頭２５を有し、当該トラス頭２５は、茸状のテーパ付きピン１１の軸と比較して広がっている。さらに支持側面１０には周縁にシール材２１が適用されており、当該シール材２１を用いて、支持側面１０がスイッチキャビネットのドア部の外側面に配置される。シール材２１は現場で適用されるポリウレタンシール材（PU sealing）であってもよく、当該ポリウレタンシール材は、支持側面１０との物質結合接続および／または低摩擦係数を有し、スイッチキャビネットのドア部の外側面においてドアロックプレート６をロックするときに、当該ドアロックプレート６の垂直方向の移動を容易にしている。
【００２７】
ドアロックプレート６の作動要素７は、スイッチキャビネットのドア部に対向している支持側面１０において、適合した形状のアダプタ２８を備えた調整要素２２を有し、当該適合した形状のアダプタ２８を用いて、作動要素７をプッシュロッドロック部１のプッシュロッド３の連結片４と係合させることができ（図７を参照）、この適合した形状のアダプタ２８が、少なくとも構成要素２８の調整方向に存在している。
【００２８】
２本の茸状のテーパ付きピン１１の内の１つには、ロックボルト１４が設けられる。このロックボルト１４が、支持側面１０に垂直なボルト受け１５に導かれる。スイッチキャビネットのドア部に対するドアロックプレートの最終位置において、すなわち組み立て位置において、ロックボルト１４がスイッチキャビネットのドア部の凹部に係合することができ、ドアロックプレート６をその最終位置に固定している。
【００２９】
図１に示されるドアロックプレート６は、旋回レバーのロック方式（国際公開第９９／３６６５４号公報を参照）で形成されている一方で、図２に示すドアロックプレート６は、ラックアンドピニオンのロック方式（国際公開第９９／１６９９４号公報を参照）で形成されている。
【００３０】
図１に示されるドアロックプレート６と同様に、図２に示すドアロックプレート６も調整要素２２を有し、当該調整要素２２がいくつかの適合した形状のレセプタクル２８を有して、このスイッチキャビネットのドア部の左右の止め具の両方に対して同一の部品として当該ドアロックプレート６を形成できるようにしている。図１による実施形態の場合において適合した形状のレセプタクル２８は、その垂直方向に直角な方向に変動の停止をもたらすため、それに応じてより広くなっており、図１による実施形態の場合における適合した形状のレセプタクル２８が、上述の左の止め具用および右の止め具用の両方に設計されている。
【００３１】
また図２に示される作動要素７は、軸およびトラス頭２５を備えた、対極にある２つの茸状のテーパ付きピン１１を有している。ボルト受け２４は、ねじ山の付いたレセプタクルとして設計されており、すなわち、茸状のテーパ付きピン１１がねじ付きピンであり、例えば、ドアロックプレート６をスイッチキャビネットのドア部の最終位置に固定する一方で、ドアロックプレート６の外周におけるシール要素２１を圧縮するため、または調整目的のために、ドアロックプレート６の支持側面１０に対して予め張力をかけることができるようにしている。
【００３２】
図３は開位置、すなわち、旋回レバーの形式でレバー１７をレセプタクル２７から離して旋回させた状態の、ドアロックプレート６の詳細図を示している。この図において作動要素７のニーレバー３０が見えており、当該ニーレバー３０を用いて、レバー１７が調整要素２２と動作可能に連結されている（図１参照）。図３に示されるレバー１７の開位置では、作動ピン１８を備えたレセプタクル２７の反対側の側面において、ロックボルト１４（図１参照）がレセプタクル２７内に延びている。レバー１７がレセプタクル２７内に完全に旋回すると、作動ピン１８の自由端がレバー１７に衝突し、そのレバー１７により当該自由端がレセプタクル２７の方向にさらに移動させられるように、レセプタクル２７に対向する側面においてレバー１７が形成され、ロックボルト１４（図１を参照）がそのボルト受け１５から外へ押し出されて、スイッチキャビネットのドア部に対するドアロックプレート６の最終位置におけるスイッチキャビネットのドア部のレセプタクルに入り、その結果、このスイッチキャビネットのドア部に対してドアロックプレート６を固定できるようにしている。
【００３３】
このロック方法が、図４〜図７を参照して詳細に説明される。最初に図７を参照すると、スイッチキャビネットのドア部１００の外側面５の上面図が示されており、スイッチキャビネットのドア部１００が板金形状の部品であってもよく、特にドア部１００の止め具と反対側のドア部１００の垂直な縦の縁部で、当該板金形状の部品がＬ字状の縁部を有し、スイッチキャビネットのドア部１００の内側面で当該Ｌ字状の縁部に、ドア部１００の内側面において導かれるプッシュロッド３を備えたプッシュロッドロック部１が割り当てられている。このプッシュロッド３は連結片４を備え、スイッチキャビネットのドア部１００の内側面２からスイッチキャビネットのドア部１００の外側面５へと長孔１２を通って延び、連結片４が外側面５を越えて突出しており、ドアロックプレート６が外側面５に配置されると、このドアロックプレート６が、調整要素２２における適合した形状のレセプタクル２８を用いて、ドアロックプレート６の作動要素７と連結できるようにしている。
【００３４】
スイッチキャビネットのドア部１００は垂直方向に長穴１２を有し、当該長穴１２に沿って、連結片４を垂直方向に調整できる。長穴１２の境界側上の、かつ、連結片４に対応するセンタリングノッチ３７は、連結片４、したがってプッシュロッドロック部１を予め整列させる機能を果たしており、スイッチキャビネットのドア部１００にドアロックプレート６を取付けることを容易にしている。図に示すように、スイッチキャビネットのドア部１００の下側のノッチ３７は、長穴１２の上側の端部１３よりも長穴１２の下側の端部１３に近接しており、またその逆も言えて、スイッチキャビネットのドア部１００の上側のノッチ３７は、長穴１２の下側の端部１３よりも長穴１２の上側の端部１３に近接している。
【００３５】
したがって図７に示されるドア部１００の右の止め具の場合、連結片４を外側面５に連結することにより、開位置におけるドアロックプレート６をドア部１００の外側面５に嵌合でき、茸状のテーパ付きピン１１を備えたドアロックプレート６が、スイッチキャビネットのドア部１００を通る、対極にある２つの鍵穴形状の開口部９の拡大した領域を通過できるようにしている。例えば図３に示されるレバー１７を当該図３に示される開位置からレセプタクル２７内に旋回させることにより、以下のようにドアロックプレート６が、そのドアロックプレート６の開位置から閉位置に移動している。この場合は図７に示されるように、ドアロックプレート６の閉位置またはドアロックプレート６の作動要素7の閉位置が到達される前、すなわち、レバー１７（図３参照）がレセプタクル２７内に完全に旋回する前に、連結片４が長穴１２の下側の長手方向端部１３に接触し、レバー１７をさらに旋回させることにより、ドアロックプレート６が当該図面の平面において上方に移動し、すなわちドアロックプレート６がドア部１００の外側面５に沿って移動して、その結果、茸状のテーパ付きピン１１（図１および図２参照）と鍵穴形状の開口部９（図７参照）との間に形成された茸状のテーパ付きピンによる接続部が、その接続位置内に移動して、ドアロックプレート６がドア部１００に固定されるようにしている。
【００３６】
図４は、止め具としての機能を果たす長穴１２の長手方向の端部１３に連結片４が接触したときに、この装置が示す位置を示している一方で、ドアロックプレート６は、まだ垂直方向へのさらなる移動により最終位置になっておらず、当該位置において、トラス頭２５が鍵穴形状の開口部９の拡大した領域から完全に出て来ており、かつ、接続ピン１４が鍵穴形状の開口部９と完全に整列しており、ドアロックプレート６をドア部に固定するために、接続ピン１４を鍵穴形状の開口部９内に打ち込むことができるようにしている。上記の最終位置は図５に示されており、ここで、ロックボルト１４はその全ての断面に亘って鍵穴形状の開口部９と整列している。この詳細図が図６に示されている。
【００３７】
図５および図６に示される最終位置において、工具レセプタクル２６を用いて、茸状のテーパ付きピン１１をドアロックプレート６内にさらに螺入でき、ドアロックプレート６がスイッチキャビネットのドア部１００に対して固定できるようにし、それによりドアロックプレート６とドア部１００の外側面との間に配置されたシール材が圧縮されて、要求されるＩＰ保護等級が達成できるようにしている。
【００３８】
したがって、スイッチキャビネットのドア部１００からドアロックプレート６を取り外すために、最初のステップで、ドアロックプレート６から茸状のテーパ付きピン１１を回して外すことができ、必要に応じて、スイッチキャビネットドアとドアロックプレートとの間の予備張力を解除している。続いてロックピン１４が鍵穴形状の開口部９から取り外されるように、摩擦接触によりドアロックプレート６のボルト受け１５に個別に収容可能なロックボルト１４を、内側面２からドアロックプレート６の方向に押すことができる。その後、ドアロックプレート６をスイッチキャビネットのドア部１００に対して垂直方向に手動で移動させることにより、茸状のテーパ付きピンによる接続部を解除できる。
【００３９】
図８および図９は、特に、ドア部１００の内側面２におけるプッシュロッド３をいくつかの部品により形成できることを示しており、それにより、プッシュロッド３の個々の部分が、ドアロックプレート６と同様に茸状のテーパ付きピンによる接続部を用いてドア部１００に固定される一方で、これらの個々の部分を垂直方向に移動可能である。この目的のために、プッシュロッドの部分３のガイド溝３４がピンレセプタクル３５を有し、当該ピンレセプタクル３５の上方で、アンダーカットされたドアピン３３にプッシュロッドの部分３を配置でき、当該ドアピン３３が、ドア部１００の内側面２に垂直に延びている。それぞれのプッシュロッドの部分３は、それらの長手方向の端部でフック部３８を有し、スイッチキャビネットの筐体のフレーム上で、当該フック部３８を用いて、プッシュロッド３を対応するカウンターホルダと係合でき、スイッチキャビネットのドア部を閉位置に保持している。コネクタ部３９がそれぞれのフック部３８に割り当てられ、様々なプッシュロッドの部分３を共に固定している。プッシュロッドの部分３がスイッチキャビネットのドア部から偶発的に外れることを防止するため、ホルダ４０を使用してプッシュロッドの部分３をドア部１００に固定でき、当該ホルダ４０がドアピン３３に嵌め込まれている。異なる長さのプッシュロッドの部分３を巧みに組み合わせることにより、異なるスイッチキャビネットのドア部１００の高さに、プッシュロッド３を可変的に適合させることができる。
【００４０】
図７に示されるドアの孔パターンの変形例では、図１０が、スイッチキャビネットのドア部１００のドアリーフの外側面の長手方向縁部における折り畳み縁部４１に関連するドアの孔パターンを示しており、当該ドアの孔パターンを用いて、ヒンジ側から見て外方に向いているスイッチキャビネットのドア部１００の側面にドアロックプレート（図示せず）を固定できる。このドアの孔パターンが第１および第２の鍵穴形状の開口部９と長穴１２とを有し、第１の鍵穴形状の開口部９が長穴１２の下方に配置されて、この長穴１２と整列しており、第２の鍵穴形状の開口部９が長穴１２の上方に配置されて、この長穴１２とずらされている。このドアの孔パターンがケーブル通路４２をさらに備え、当該ケーブル通路４２が、第２の鍵穴形状の開口部９の下方、かつ、第１の鍵穴形状の開口部９の横方向に配置されている。このドアの孔パターンは、ドアロックプレート６がスイッチキャビネットのドア部１００に固定されたときに、当該ドアロックプレート６により完全に覆われる。ケーブル通路４２はオプションであり、電子的なドアロックプレートで特に必要とされる。
【００４１】
上述の説明、図面および特許請求の範囲に開示された本発明の特徴は、本発明の実施のために、単独、および任意の組み合わせの両方で必須であり得る。
【符号の説明】
【００４２】
１  プッシュロッドロック部
２  内側面
３  プッシュロッド
４  連結片
５  外側面
６  ドアロックプレート
７  作動要素
８  茸状のテーパ付きピンによる接続部
９  開口部
１０  支持側面
１１  茸状のテーパ付きピン
１２  長穴
１３  長手方向の端部
１４  ロックボルト
１５  ボルトガイド部
１６  基部
１７  レバー
１８  作動ピン
１９  凹部
２０  側面
２１  シール材
２２  調整要素
２３  表面被膜
２４  ねじ山の付いたレセプタクル
２５  トラス頭
２６  工具レセプタクル
２７  レセプタクル
２８  適合した形状のレセプタクル
２９  ロック解除要素
３０  ニーレバー
３１  留め金
３２  ドアフレーム
３３  ドアピン
３４  ガイド溝
３５  ピンレセプタクル
３６  鍵
３７  センタリングノッチ
３８  フック部
３９  コネクタ部
４０  ホルダ
４１  折り畳み縁部
４２  ケーブル通路
１００  スイッチキャビネットのドア部
【図１】
0006820436.tif 000002
【図２】
0006820436.tif 000003
【図３】
0006820436.tif 000004
【図４】
0006820436.tif 000005
【図５】
0006820436.tif 000006
【図６】
0006820436.tif 000007
【図７】
0006820436.tif 000008
【図８】
0006820436.tif 000009
【図９】
0006820436.tif 000010
【図１０】
0006820436.tif 000011